(57)【要約】【課題】手裏剣が刺さりやすく、耐久性に優れた手裏剣の的を提供する。【解決手段】投擲された手裏剣２を保持する手裏剣の的１は、ボード１０と、ボード１０のターゲット面１０Ａに配列された複数のピン２０と、を備えている。各々のピン２０は、ＸＹ断面が多角形であって先細りに形成され、保持された状態の手裏剣２の表面２Ａ及び裏面２Ｂに接する平坦な面２０Ｕ，２０Ｖ，２０Ｗを有している。【選択図】図１
2019196883.tif 000002
【特許請求の範囲】
【請求項１】
投擲された手裏剣を保持する手裏剣の的であって、
ボードと、ボードのターゲット面に配列された複数のピンと、を備え、
各々の前記ピンは、断面が多角形であって先細りに形成され、保持された状態の前記手裏剣の表面及び裏面に接する平坦な面を有している、手裏剣の的。
【請求項２】
複数の前記ピンは、前記ターゲット面に垂直な軸周りに１２０°ずつ回転した第１方向、第２方向及び第３方向に沿って前記ターゲット面に等間隔に配列されており、
各々の前記ピンは、前記第１方向を前記軸周りに９０°回転した第４方向に沿って形成された第１面と、前記第２方向を前記軸周りに９０°回転した第５方向に沿って形成された第２面と、前記第３方向を前記軸周りに９０°回転した第６方向に沿って形成された第３面と、を有し、
隣り合う一対の前記ピンにおいて、一方の前記ピンの前記第１面と他方の前記ピンの前記第１面とは隙間をあけて互いに対向しており、前記隙間は、前記ピンの先端部では前記手裏剣の板厚よりも大きく、前記先端部よりも前記ボードに近い前記ピンの保持部では前記手裏剣の板厚よりも小さい、請求項１に記載の手裏剣の的。
【請求項３】
各々の前記ピンは、一対の前記第１面と、一対の前記第２面と、一対の前記第３面とで構成された六角錐台又は六角柱の形状を含んでいる、請求項２に記載の手裏剣の的。
【請求項４】
各々の前記ピンは、前記ターゲット面に滑らかに連続するフィレット部をさらに有し、
前記フィレット部は、外縁が六角形に形成され、前記ターゲット面に隙間なく並べられている、請求項３に記載の手裏剣の的。
【発明の詳細な説明】
【技術分野】
【０００１】
本発明は、手裏剣の的に関する。
【背景技術】
【０００２】
手裏剣投げ体験は、訪日観光客に人気がある。観光立国を推進するため、手裏剣投げ体験の裾野を拡大したい。しかるに、手裏剣投げ体験にはいくつかの課題がある。例えば、手裏剣の的は、同心円のターゲットが印刷された的紙を、畳、ベニヤ板、発泡プラスチック等の支持部材に貼り付けたものが多い。初心者が投げた手裏剣は、そのような的に命中してもなかなか刺さらない。加えて、金属製の手裏剣は、手指を傷つけてしまうおそれがある。怪我をおそれると、手裏剣を思い切って投げづらい。一方で、安全なゴム製の手裏剣では、軽いために金属製の手裏剣よりもさらに刺さりにくい。
【０００３】
また、従来の手裏剣の的は、手裏剣が刺さりにくいだけでなく、耐久性にも課題がある。手裏剣が的に刺さると、的紙や支持部材に大きな穴が開く。何度か手裏剣が刺さると、的紙や支持部材がささくれ立って美観が損なわれる。手裏剣投げ体験において、手裏剣の的は、美観を維持するために頻繁に新品に交換されるか、経済的負担を嫌って美観が損なわれた状態のまま使用されている。
【０００４】
手裏剣ではなく吹き矢であるが、美観を維持して繰り返し使用できる的が提案されている（例えば、特許文献１参照）。特許文献１に記載の吹き矢の的台は、油性粘土を敷き詰めてその上に的紙を貼り付けている。支持部材である油性粘土が穴だらけになっても、手指で均して平らに補修できる。
【先行技術文献】
【特許文献】
【０００５】
【特許文献１】特開２０１７−２０７２６８号公報
【発明の概要】
【発明が解決しようとする課題】
【０００６】
しかしながら、支持部材が油性粘土であると、的に命中しても手裏剣が刺さりにくい。とりわけ、安全なゴム製の手裏剣は、固い粘土に深く刺さらない。また、先端が針の吹き矢とは異なり、先端が剣の手裏剣を投げると、的紙に大きな穴が開く。特許文献１に記載の発明では、支持部材を補修できるものの、的紙がささくれ立って美観が損なわれる課題を解決できない。
そこで、本発明は、手裏剣が刺さりやすく、耐久性にも優れた手裏剣の的を提供することを目的とする。
【課題を解決するための手段】
【０００７】
本発明の一態様は、投擲された手裏剣を保持する手裏剣の的である。手裏剣の的は、ボードと、ボードのターゲット面に配列された複数のピンと、を備えている。各々のピンは、断面が多角形であって先細りに形成され、保持された状態の手裏剣の表面及び裏面に接する平坦な面を有している。
この態様によれば、手裏剣の表面と裏面とを平坦な面で支えるので、点や線で支える場合と比べて、的に命中した手裏剣が落下しづらく刺さった状態で保持されやすい。
【０００８】
上記態様において、複数のピンは、ターゲット面に垂直な軸周りに１２０°ずつ回転した第１方向、第２方向及び第３方向に沿ってターゲット面に等間隔に配列されており、各々のピンは、第１方向を軸周りに９０°回転した第４方向に沿って形成された第１面と、第２方向を軸周りに９０°回転した第５方向に沿って形成された第２面と、第３方向を軸周りに９０°回転した第６方向に沿って形成された第３面と、を有し、隣り合う一対のピンにおいて、一方のピンの第１面と他方のピンの第１面とは隙間をあけて互いに対向しており、隙間は、ピンの先端部では手裏剣の板厚よりも大きく、先端部よりもボードに近いピンの保持部では手裏剣の板厚よりも小さくてもよい。
この態様によれば、第１方向に縦回転する手裏剣が的に命中したときだけでなく、第２方向及び第３方向にずれて斜め回転する手裏剣が的に命中したときも手裏剣を刺さった状態に保持しやすくなる。
【０００９】
上記態様において、各々のピンは、一対の第１面と、一対の第２面と、一対の第３面とで構成された六角錐台又は六角柱の形状を含んでいてもよい。
この態様によれば、断面が六角形であるため、ピンを並べやすい。断面が三角形の場合と比べて、角が傷みにくくピンが折損しづらい。
【００１０】
上記態様において、各々のピンは、ターゲット面に滑らかに連続するフィレット部をさらに有し、フィレット部は、外縁が六角形に形成され、ターゲット面に隙間なく並べられてもよい。
この態様によれば、ピンの根元への応力集中がフィレット部で緩和されるため、ピンが折損しにくくなり、手裏剣の的の耐久性が向上する。外向きに広がるフィレット部を設けているが、その外縁が六角形であるため、ピンを手裏剣の板厚に合わせて密に並べることができる。
【発明の効果】
【００１１】
本発明によれば、手裏剣が刺さりやすく、耐久性に優れた手裏剣の的を提供することができる。
【図面の簡単な説明】
【００１２】
【図１】本発明の一実施形態の手裏剣の的を示す斜視図である。
【図２】図１に示された手裏剣の的の平面図である。
【図３】第１方向に配列されたピンを第４方向から見た側面図である。
【図４】本発明の変形例に係る手裏剣の的を示す平面図である。
【発明を実施するための形態】
【００１３】
添付図面を参照して、本発明の好適な実施形態について説明する。なお、各図において、同一の参照符号を付したものは、同一又は同様の構成を有する。本発明の一実施形態の手裏剣の的１（以下、単に「的１」ということがある。）は、板状の手裏剣２の表面２Ａ及び裏面２Ｂに両側から面接触する平坦な面２０Ｕ，２０Ｖ，２０Ｗが各々のピン２０に形成されていることが特徴の一つである（図１及び図４参照）。
【００１４】
本実施形態は、不可逆的に破壊される的紙や支持部材ではなく、可逆的に撓むピン２０Ｌ，２０Ｒの間のポケット３１，３２，３３のいずれかに手裏剣２を挟持する（図２参照）。手裏剣の的１を繰り返し使用してもささくれ立って美観が損なわれることがない。
【００１５】
手裏剣２は、重心が先端の剣４１ではなく中心の連結部４２にある。重心が先端寄りのダーツ等と比べると、重心がターゲット面１０Ａから遠い分、的１に刺さった状態で不安定である。本実施形態は、ピン２０のＸＹ断面が円形ではなく多角形であり、手裏剣２の表面２Ａ及び裏面２Ｂとの接触面積Ｃが大きい（図３参照）。そのため、重心が不安定な手裏剣２を的１に刺さった状態で保持しやすい。以下、図１から図４を参照して各構成について詳しく説明する。
【００１６】
図１は、本発明の一実施形態に係る手裏剣の的１と、的１に刺さった状態の手裏剣２と、を示す斜視図である。手裏剣２は、放射状に延びる複数の剣４１と、複数の剣４１を繋ぐ連結部４２と、を有した風車型に形成されている。図１に示す例では、十字形に形成されたゴム板の手裏剣２を示している。ゴム板の板厚Ｆは、例えば５ｍｍ程度である。
【００１７】
各々の剣４１は、尖った剣先を有している。剣先の縁４１Ｅは、刃を模して鋭角に形成されている。的１に命中したとき、吹き矢やダーツであれば、先端が針で力が一点に集中する。しかし、板状の手裏剣２では、縁４１Ｅの稜線に力が分散するため刺さりにくい。本実施形態の手裏剣の的１は、前述の手裏剣２が命中したとき、手裏剣２を落下させずに刺さった状態で保持するように構成されている。
【００１８】
手裏剣の的１は、ボード（基盤）１０と、複数のピン（突起部）２０と、を備えている。ボード１０及びピン２０は、ポリアミド樹脂等の樹脂材料から形成された一体構造物である。手裏剣の的１は、透光性であってもよいし、遮光性であってもよい。透光性を有する樹脂材料で手裏剣の的１を構成する場合、背面１０Ｂに光を投射して、動きのある標的をターゲット面１０Ａに描くことができる。
【００１９】
ボード１０は、厚みを有した板状に形成され、平坦なターゲット面（盤面）１０Ａを有している。ターゲット面１０Ａは、縦方向Ｘと、縦方向Ｘに交差する横方向Ｙとに平行に形成されている。ボード１０の厚み方向Ｚは、縦方向Ｘ及び横方向Ｙに交差している。図１に示す例では、ターゲット面１０Ａの縦方向Ｘ及び横方向Ｙ並びにボード１０の厚み方向Ｚは、互いに直交している。
【００２０】
各々のピン２０は、ＸＹ断面が多角形であって先細りに形成され、的１に保持された状態の手裏剣２の表面２Ａ及び裏面２Ｂに面接触する平坦な面２０Ｕ，２０Ｖ，２０Ｗを有している。図１に示す例では、ターゲット面１０Ａに平行なＸＹ平面で切断したピン２０のＸＹ断面が六角形に形成されている。ピン２０が短いと、手裏剣２が命中しても刺さらずに落下しやすい。ピン２０が長いと、手裏剣２が命中したとき折損しやすい。ピン２０の高さは、例えば２ｃｍ程度である。
【００２１】
図２は、手裏剣の的１の平面図である。複数のピン２０は、ターゲット面１０Ａの上に配列されている。図２に示す例では、複数のピン２０は、ターゲット面１０Ａに垂直なＺ軸周りに１２０°ずつ回転した第１方向Ｒ、第２方向Ｓ及び第３方向Ｔに沿ってターゲット面１０Ａの上に等間隔に配列されている。前述の面２０Ｕ，２０Ｖ，２０Ｗは、第１乃至第３方向Ｒ，Ｓ，ＴをＺ軸周りに９０°回転した第４乃至第６方向Ｕ，Ｖ，Ｗに沿って形成されている。
【００２２】
的１に向かって飛来する手裏剣２は、例えば縦回転している。ターゲット面１０Ａを時計盤に見立てたとき、第４方向Ｕの一例は、１２時と６時とを結んだ１２時方向であり、第５方向Ｖの一例は、４時と１０時とを結んだ４時方向であり、第６方向Ｗの一例は、８時と２時とを結んだ８時方向である。前述の縦方向Ｘの一例は、１２時方向であり、第４方向Ｕに一致する。なお、手裏剣の的１を傾けて設置することがあるため、ターゲット面１０Ａの縦方向Ｘは、鉛直方向と必ずしも一致しない。
【００２３】
第４乃至第６方向Ｕ，Ｖ，Ｗは、第１乃至第３方向Ｒ，Ｓ，ＴをＺ軸周りに９０°回転した方向である。つまり、第１方向Ｒの一例は、９時と３時とを結んだ９時方向であり、第２方向Ｓの一例は、１時と７時とを結んだ１時方向であり、第３方向Ｔの一例は、５時と１１時とを結んだ５時方向である。前述の横方向Ｙの一例は、９時方向であり、第１方向Ｒに一致する。
【００２４】
図２に示すように、第１方向Ｒにおいて隣り合う一対のピン２０の間には、第４方向Ｕに延在するポケット３１が形成されている。同様に、第２方向Ｓにおいて隣り合う一対のピン２０の間には、第５方向Ｖに延在するポケット３２が形成され、第３方向Ｔにおいて隣り合う一対のピン２０の間には、第６方向Ｗに延在するポケット３３が形成されている。手裏剣２が的１に命中すると、手裏剣２の剣４１の剣先がポケット３１，３２，３３のいずれかに案内される。
【００２５】
再び図１を参照して説明する。これまで説明したように、各々のピン２０は、第４方向Ｕに平行な第１面２０Ｕと、第５方向Ｖに平行な第２面２０Ｖと、第６方向Ｗに平行な第３面２０Ｗと、を有している。図１に示す例では、各々のピン２０は、厚み方向Ｚに交差し且つ第４方向Ｕに平行な一対の第１Ａ面２０Ｕａと、厚み方向Ｚ及び第４方向Ｕに平行な一対の第１Ｂ面２０Ｕｂと、を有している。第１Ａ及び第１Ｂ面２０Ｕａ，２０Ｕｂは、いずれも第１面２０Ｕの一例である。
【００２６】
同様に、各々のピン２０は、厚み方向Ｚに交差し且つ第５方向Ｖに平行な一対の第２Ａ面２０Ｖａと、厚み方向Ｚ及び第５方向Ｖに平行な一対の第２Ｂ面２０Ｖｂと、厚み方向Ｚに交差し且つ第６方向Ｗに平行な一対の第３Ａ面２０Ｗａと、厚み方向Ｚ及び第６方向Ｗに平行な一対の第３Ｂ面２０Ｗｂと、を有している。第２Ａ及び第２Ｂ面２０Ｖａ，２０Ｖｂは、いずれも第１面２０Ｖの一例であり、第３Ａ及び第３Ｂ面２０Ｗａ，２０Ｗｂは、いずれも第３面２０Ｗの一例である。
【００２７】
各々のピン２０は、六角錐台に形成された第１胴部２２と、六角柱に形成された第２胴部２３と、を含んでいる。第１胴部２２は、一対の第１Ａ面２０Ｕａと、一対の第２Ａ面２０Ｖａと、一対の第３Ａ面２０Ｗａとで構成されている。第２胴部２３は、第１胴部２２よりもピン２０の基端側Ｚｂに位置し、一対の第１Ｂ面２０Ｕｂと、一対の第２Ｂ面２０Ｖｂと、一対の第３Ｂ面２０Ｗｂとで構成されている。
【００２８】
各々のピン２０は、第１胴部２２よりもピン２０の先端側Ｚａに位置する呼込み部２１と、第２胴部２３よりもピン２０の基端側Ｚｂに位置するフィレット部２４と、をさらに含んでいる。呼込み部２１は、先細りに形成され、先端が滑らかに丸められている。フィレット部２４は、第２胴部２３からターゲット面１０Ａに滑らかに連続している。フィレット部２４は、外縁が六角形に形成され、ターゲット面１０Ａに隙間なく並べられている。
【００２９】
図３は、第１方向Ｒに配列されたピン２０を第４方向Ｕから見た側面図である。第１方向Ｒにおいて隣り合う一対のピン２０Ｌ，２０Ｒの間には、前述のポケット３１が形成されている。なお、前述のポケット３２，３３は、ポケット３１と略同一の形状及び機能を有している。そのため、代表してポケット３１を詳しく説明し、ポケット３２，３３については重複する説明を省略する。
【００３０】
同様に、ポケット３２の隙間Ｇを規定する第２面２０Ｖやポケット３３の隙間Ｇを規定する第３面２０Ｗは、ポケット３１の隙間Ｇを規定する第１面２０Ｕと略同一の形状及び機能を有している。そのため、代表して第１面２０Ｕを詳しく説明し、第２及び第３面２０Ｖ，２０Ｗについては重複する説明を省略する。
【００３１】
図３に示すように、一方のピン２０Ｌの第１面２０Ｕと、他方のピン２０Ｒの第１面２０Ｕとは隙間Ｇをあけて互いに対向している。図３に示す例では、六角錐台を構成する第１Ａ面２０Ｕａ同士が互いに対向し、六角柱を構成する第１Ｂ面２０Ｕｂ同士が互いに対向している。
【００３２】
各々のピン２０は、厚み方向Ｚにおける所定の深さＤにおいて、対向する第１面２０Ｕの隙間Ｇが手裏剣２の板厚Ｆと略同一になるように形成されている。深さＤよりもピン２０の先端側Ｚａを先端部とし、深さＤよりもピン２０の基端側Ｚｂを保持部とする。先端部では、第１面２０Ｕ同士の隙間Ｇが手裏剣２の板厚Ｆよりも大きくなる。保持部では、第１面２０Ｕ同士の隙間Ｇが手裏剣２の板厚Ｆよりも小さくなる。
【００３３】
図３に示す例では、深さＤが第１胴部２２に位置している。第１胴部２２のうち、深さＤよりも先端側Ｚａの部位を第１Ａ胴部２２ａとし、深さＤよりも基端側Ｚｂの部位を第１Ｂ胴部２２ｂとする。呼込み部２１及び第１Ａ胴部２２ａは、前述の先端部の一例である。第１Ｂ胴部２２ｂ及び第２胴部２３は、前述の保持部の一例である。
【００３４】
手裏剣２が的１に命中すると、ターゲット面１０Ａに対して斜めに形成された手裏剣２の縁４１Ｅが、同じくターゲット面１０Ａに対して斜めに形成された呼込み部２１又は第１胴部２２の表面をスライドして、剣４１の剣先が隣り合うピン２０の間のポケット３１（３２，３３）に案内される。
【００３５】
手裏剣２の厚みは、縁４１Ｅから内側へ向かうに従って徐々に大きくなり、やがてゴム板の板厚Ｆで一定になる。ピン２０Ｌ，２０Ｒの第１面２０Ｕ同士の隙間Ｇは、ピン２０の先端側Ｚａから基端側Ｚｂへ向かうにしたがって徐々に小さくなる。手裏剣２の剣先が厚み方向Ｚに進むに従って、手裏剣２の厚みとピン２０Ｌ，２０Ｒの隙間Ｇとの差が小さくなってゆく。手裏剣２の一部（例えば、剣４１の鎬４１Ｄ）が深さＤに達したとき、手裏剣２の厚みとピン２０Ｌ，２０Ｒの隙間Ｇとが一致する。
【００３６】
樹脂製の的１は可逆的に変形できる。手裏剣２の剣先は、ピン２０の隙間Ｇを押し広げて、深さＤよりも僅かに深く刺さる。このとき、一方のピン２０Ｌの第１Ａ面２０Ｕａは、手裏剣２の表面２Ａに沿って変形し、当該表面２Ａに面接触する。同様に、他方のピン２０Ｒの第１Ａ面２０Ｕａは、手裏剣２の裏面２Ｂに沿って変形し、当該裏面２Ｂに面接触する。
【００３７】
以上のように構成された本実施形態の手裏剣の的１によれば、手裏剣２の平坦な表面２Ａ及び裏面２Ｂをピン２０の平坦な第１面２０Ｕで支えるので、円柱面で手裏剣２を支える場合と比べて接触面積Ｃが大きくなる。的１に命中した手裏剣２が落下しづらく刺さった状態で保持されやすい。
【００３８】
とりわけ、本実施形態は、安全なゴム製の手裏剣に好適である。ゴム製の手裏剣は、金属製の手裏剣と比べて安全な反面、軽いために粘土等の固い支持部材に深く刺さりづらい。本実施形態であれば、軽量な手裏剣２であっても、命中すれば所定の深さＤまで確実に刺さる。そのため、的１に命中した手裏剣２が落下しづらく刺さった状態で保持されやすい。
【００３９】
本実施形態は、第４乃至第６方向Ｕ，Ｖ，Ｗにそれぞれ延在するポケット３１，３２，３３によって、第４方向Ｕに縦回転する手裏剣２が的１に命中したときだけでなく、第５方向Ｖ又は第６方向Ｗにずれて斜めに回転する手裏剣２が的１に命中したときも手裏剣２を刺さった状態に保持しやすい。
【００４０】
的１に向かって飛来する手裏剣２は、１２時方向に縦回転していることが多い。１２時方向に回転する手裏剣２が的１に命中すると、手裏剣２の剣先がポケット３１に案内されて、ポケット３１の隙間Ｇを規定する第１面２０Ｕが手裏剣２の表面２Ａ及び裏面２Ｂに両側から面接触して手裏剣２を保持する。
【００４１】
もし、手裏剣２が飛行中に１０時方向に傾いても、第５方向Ｖ（１０時方向）に延在するポケット３２に手裏剣２の剣先が案内され、ポケット３２の第２面２０Ｖが手裏剣２の表面２Ａ及び裏面２Ｂに両側から面接触する。同様に、手裏剣２が２時方向に傾いても、第６方向（２時方向）に延在するポケット３３の第３面２０Ｗが手裏剣２の表面２Ａ及び裏面２Ｂに両側から面接触する。
【００４２】
本実施形態は、可逆的に変形するピン２０によって手裏剣２を保持するため、的紙やその支持部材が穴だらけにならない。美観を維持したまま繰り返し使用できる。各々のピン２０は、ＸＹ断面が六角形に形成された第１及び第２胴部２２，２３を含んでいる。そのため、隣り合うピン２０の平坦な面２０Ｕ，２０Ｖ，２０Ｗが互いに平行になるように並べやすい。ＸＹ断面が三角形の場合と比べて、角が傷みにくくピン２０が折損しづらい。
【００４３】
しかも、ピン２０の根元への応力集中がフィレット部２４で緩和されるため、ピン２０が折損しにくい。フィレット部２４の外縁が六角形であるため、大きく広がるフィレット部２４を形成しても、ピン２０を密に並べることができる。
【００４４】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００４５】
例えば、ピン２０のＸＹ断面は、三角形であってもよい。図４に示す変形例のように、ピン２０のＸＹ断面が正三角形であれば、ピン２０のＸＹ断面が六角形の実施形態と同様に、第４乃至第６方向Ｕ，Ｖ，Ｗに回転する手裏剣２を保持することができる。図示しないが、ピン２０のＸＹ断面は、直角二等辺三角形であってもよい。隣り合う直角二等辺三角形の底辺同士が対向し、等辺同士が対向するように並べれば、１２時、１時半、３時、４時半の四方向に回転する手裏剣２を保持することができる。
【００４６】
さらに、ピン２０のＸＹ断面は、四角形であってもよいし、五角形であってもよいし、八角形であってもよい。ただし、四角形では、縦横の二方向からしか手裏剣２と面接触できない。五角形では、隙間なく並べにくい。八角形以上では、各々の面が小さくなって接触面積が小さくなる。そのため、ピン２０のＸＹ断面は、図２に示す六角形が好適である。
【００４７】
例えば、図１に示す第１及び第２胴部２２，２３は、いずれか一方を省略してもよいし、第１胴部とは傾斜角が異なる六角錐台の第３胴部、第４胴部等をさらに含んでいてもよい。第１胴部２２を省略した場合、呼込み部２１が先端部となり、第２胴部２３が保持部となる。
【００４８】
例えば、手裏剣２が剣４１の鎬４１Ｄではなく、縁４１Ｅと鎬４１Ｄとの間の刃の部位で的１に保持されるように構成してもよい。その場合、所定の深さＤにおけるピン２０Ｌ，２０Ｒの隙間Ｇを手裏剣２の板厚Ｆよりも小さい手裏剣２の刃の厚みにすればよい。例えば、ボード１０は立体的であってもよい。ピン２０の大きさに対してターゲット面１０Ａの起伏が無視できるほど小さければ、等身大の忍者人形等の表面をターゲット面１０Ａとして構成してもよい。
【符号の説明】
【００４９】
１…手裏剣の的、２…手裏剣、２Ａ…表面、２Ｂ…裏面、１０…ボード、１０Ａ…ターゲット面、１０Ｂ…背面、２０…ピン、２０Ｌ…一方のピン、２０Ｒ…他方のピン、２０Ｕ…第１面（平坦な面の一例）、２０Ｕａ…第１Ａ面（第１面の一例）、２０Ｕｂ…第１Ｂ面（第１面の一例）、２０Ｖ…第２面（平坦な面の一例）、２０Ｖａ…第２Ａ面（第２面の一例）、２０Ｖｂ…第２Ｂ面（第２面の一例）、２０Ｗ…第３面（平坦な面の一例）、２０Ｗａ…第３Ａ面（第３面の一例）、２０Ｗｂ…第３Ｂ面（第３面の一例）、２１…呼込み部（先端部の一例）、２２…第１胴部（六角錐台の部位の一例）、２２ａ…第１Ａ胴部（先端部の一例）、２２ｂ…第１Ｂ胴部（保持部の一例）、２３…第２胴部（六角柱の部位の一例、保持部の一例）、２４…フィレット部、３１，３２，３３…ポケット、４１…剣、４１Ｄ…鎬、４１Ｅ…縁、４２…連結部、Ｃ…接触面積、Ｄ…ピン先端からの深さ、Ｆ…板厚、Ｇ…隙間、Ｒ…第１方向、Ｓ…第２方向、Ｔ…第３方向、Ｕ…第４方向、Ｖ…第５方向、Ｗ…第６方向、Ｘ…縦方向、Ｙ…横方向、Ｚ…厚み方向、Ｚａ…ピン先端側、Ｚｂ…ピン基端側。
【図１】
2019196883.tif 000003
【図２】
2019196883.tif 000004
【図３】
2019196883.tif 000005
【図４】
2019196883.tif 000006